(57)【要約】【課題】着信ルートアクセスの利便性を向上させること。【解決手段】ボタン電話装置１００の主装置１０において、外線インターフェイスユニット１４は、公衆電話回線網２００にてサービス提供されているボイスワープサービスによる転送元番号と転送理由とを含む転送元情報を、受信転送元情報として受信する。記憶装置１２２は、予め転送元番号と転送理由とを含む転送元情報を、記憶転送元情報として転送先情報と共に記憶する。呼制御プログラム部１２４は、受信転送元情報と記憶転送元情報とを比較し、その比較結果が一致したときに、当該記憶転送元情報と対応する転送先情報の転送先へ転送する。【選択図】      図１
2008227964.tif 000002
【特許請求の範囲】
【請求項１】
公衆ＩＳＤＮ回線網に接続された主装置と、該主装置に接続されたボタン電話機とを有するボタン電話装置において、前記主装置は、
前記公衆ＩＳＤＮ回線網にてサービス提供されているボイスワープサービスによる転送元番号と転送理由とを含む転送元情報を、受信転送元情報として受信する受信手段と、
予め転送元番号と転送理由とを含む転送元情報を、記憶転送元情報として転送先情報と共に記憶する記憶手段と、
前記受信転送元情報と前記記憶転送元情報とを比較する比較手段と、
該比較手段による比較結果が一致したときに、当該記憶転送元情報と対応する転送先情報の転送先へ転送する転送手段と、
を有することを特徴とするボタン電話装置。
【請求項２】
前記転送理由は話中、無応答、および無条件の中から選択された１つである、請求項１に記載のボタン電話装置。
【請求項３】
前記比較手段はワイルドコードを使用して比較する、請求項１に記載のボタン電話装置。
【請求項４】
前記記憶手段は、前記記憶転送元情報と前記転送先情報とを時間帯毎に複数記憶している、請求項１に記載のボタン電話装置。
【請求項５】
公衆ＩＳＤＮ回線網に接続された主装置と、該主装置に接続されたボタン電話機とを有するボタン電話装置における転送方法であって、
前記公衆ＩＳＤＮ回線網にてサービス提供されているボイスワープサービスによる転送元番号と転送理由とを含む転送元情報を、受信転送元情報として受信するステップと、
予め転送元番号と転送理由とを含む転送元情報を、記憶転送元情報として転送先情報と共に記憶するステップと、
前記受信転送元情報と前記記憶転送元情報とを比較するステップと、
該比較手段による比較結果が一致したときに、当該記憶転送元情報と対応する転送先情報の転送先へ転送するステップと、
を含むことを特徴とするボタン電話装置の転送方法。
【請求項６】
前記転送理由は話中、無応答、および無条件の中から選択された１つである、請求項５に記載のボタン電話装置の転送方法。
【請求項７】
前記比較ステップはワイルドコードを使用して比較する、請求項５に記載のボタン電話装置の転送方法。
【請求項８】
前記記憶ステップは、前記記憶転送元情報と前記転送先情報とを時間帯毎に複数記憶している、請求項５に記載のボタン電話装置の転送方法。
【発明の詳細な説明】
【技術分野】
【０００１】
本発明は、ボタン電話装置に関し、特に、公衆ＩＳＤＮ（integrated services digital network）回線網にてサービス提供されているボイスワープサービスによる転送元番号情報を受信することが可能なボタン電話装置およびその転送方法に関する。
【背景技術】
【０００２】
この技術分野で周知のように、ボタン電話装置は、少なくとも１つの局線（外線）に接続された主装置と、この主装置に通信線とデータ線を介して接続された複数のボタン電話機とを有する（例えば、特許文献１参照）。
【０００３】
従来から、転送機能を備えたボタン電話装置が提案されている。例えば、転送呼がどの様な状況で転送されてきたのか、またそこから転送設定者の状況を判断することのできる、「ボタン電話交換システムにおける着信呼転送方法」が知られている（例えば、特許文献２参照）。特許文献２では、ある内線電話機から他の内線電話機への着信呼転送の設定を行い、設定された着信呼転送の際に転送先の内線電話機に転送理由及び転送元の内線名称を表示させるようにしている。また、特許文献２では、転送元の内線電話機がテキストメッセージの設定を行い、その情報を転送先の内線電話機に表示させている。
【０００４】
また、より効率の良い取り継ぎを可能とした「構内交換機および構内自動転送方法」も知られている（例えば、特許文献３参照）。この特許文献３では、局線から通知される発信者番号を受信し、この発信者番号を含むグルーピングされた発信者番号の転送先を選択し、着信呼を振り分けている。詳述すると、特許文献３では、メモリ部が、内線毎のテーブルに発信者番号でグルーピングされた転送先電話番号を記憶する。モデム信号受信用回路が局線から通知される発信者番号を受信し、中央制御部が自動転送動作を制御する。この制御は、メモリ部が記憶しているテーブルデータを基に、受信した発信者番号が記憶されている発信者番号に対応する転送先番号を選択し、この選択において実行される。
【０００５】
更に、ＩＳＤＮ回線からのＩＳＤＮメッセージに含まれた転送元番号情報を用いて、通常の着信表示と区別して、転送元の電話番号に応じた着信表示を行うことができる「ボタン電話端末装置」も提案されている（例えば、特許文献４参照）。この特許文献４では、着信時に、ＩＳＤＮメッセージに含まれる転送元番号情報要素の内容が主装置内にデータ設定されている番号と一致するか否かをテストし、そのテストの結果がＹＥＳの場合には、そのときの転送元番号情報要素の内容に該当するように予め指定された鳴音による着信処理を行っている。
【０００６】
また、ファクシミリ着信呼を、ボイスワープサービスの応答後転送機能を利用して、転送先に転送するようにした技術的思想が知られている（例えば、特許文献５参照）。この特許文献５では、ファクシミリの着信呼を、ＮＴＴ（日本電信電話株式会社）が提供するボイスワープサービスの応答後転送機能を利用して、そのまま所定の転送先に転送している。また、特許文献５において、ファクシミリ装置は、発信元毎及び時間帯毎に、ファクシミリの着信呼を転送するか否かを設定する転送設定テーブルを記憶するＲＡＭを備える。主制御部は、ファクシミリの着信呼を受信したとき、上記転送設定テーブルの発信元及び時間帯に基づいて、ファクシミリの着信呼を転送するか否かを決定し、決定された転送モードの処理を実行している。
【０００７】
更に、外線着信時に網から伝送される発信者番号情報と転送先電話機の状態に応じた転送先を選択することで、電話発信者が着信者の状況に応じた最適の電話機に効率良く転送できる「ボタン電話装置」が提案されている（例えば、特許文献６参照）。特許文献６では、着信情報に含まれる発信者番号に基づいて、着信先電話機又は着信先の回線へ転送するに際し、着信先電話機の状態に応じて着信先を選択するようにしている。また、特許文献６に開示されたボタン電話装置は、着信・転送手段による、着信処理手段の比較結果に応じて着信先電話機に着信させるか着信先の回線へ転送する処理後、一定時間内に着信先から応答があるかどうか判断し、一定時間内に応答があるときに回線接続処理し、一定時間に応答がないときは着信処理手段により新たに着信処理させ直す応答監視手段を有する。更に、特許文献６においては、着信・転送手段は、着信処理手段の比較結果に応じて着信先電話機に着信させるか着信先の回線へ転送するときに、発信者番号情報を転送するようにしている。
【０００８】
【特許文献１】特開平３−７４９９６号公報
【特許文献２】特開２０００−１１５３７９号公報
【特許文献３】特開２０００−１２５０１７号公報
【特許文献４】特開２００３−９２６１３号公報
【特許文献５】特開２００４−７２６９１号公報
【特許文献６】特開平９−３２２２１０号公報
【発明の開示】
【発明が解決しようとする課題】
【０００９】
上記特許文献５に開示されているような、ＩＮＳボイスワープ又はＩＳＮボイスワープセレクトサービス（以下、「ボイスワープサービス」と呼ぶ）を利用して、夜間などの着信を他の登録電話番号へ転送して一括受付を行うことができる。この際、従来では、受付側のボタン電話装置にて転送元毎に着信先の電話機を変更したり、他の電話番号へ転送する場合に、転送元毎に電話回線又はダイヤルイン番号を用意する必要がある。
【００１０】
このように、従来のボタン電話装置では、着信受付の集約に対して転送元毎に着信の振り分けを行う際に、転送元毎に電話回線やダイヤルイン番号の開設費用や月々の使用料金が発生するという問題がある。
【００１１】
特許文献２は、ある内線電話機から他の内線電話機への着信呼転送の設定を行い、設定された着信呼転送の際に転送先の内線電話機に転送理由及び転送元の内線名称を表示させたり、転送元の内線電話機がテキストメッセージの設定を行い、その情報を転送先の内線電話機に表示させる技術的思想を開示しているに過ぎず、ボイスワープサービスについては何等開示していない。
【００１２】
また、特許文献３は、局線から通知される発信者番号を受信し、この発信者番号を含むグルーピングされた発信者番号の転送先を選択し、着信呼を振り分ける技術的思想を開示しているに過ぎず、ボイスワープサービスについては何等開示していない。
【００１３】
特許文献４は、ＩＳＤＮ回線からのＩＳＤＮメッセージに含まれた転送元番号情報を用いて、通常の着信表示と区別して、転送元の電話番号に応じた着信表示を行うことができるボタン電話端末装置を開示しているに過ぎず、ボイスワープサービスについては何等開示していない。
【００１４】
さらに、特許文献６は、外線着信時に網から伝送される発信者番号情報と転送先電話機の状態に応じた転送先を選択することで、電話発信者が着信者の状況に応じた最適の電話機に効率良く転送できるボタン電話装置を開示しているに過ぎず、ボイスワープサービスについては何等開示してない。
【００１５】
したがって、本発明の解決課題は、ボイスワープサービスにより公衆ＩＳＤＮ回線網から通知される転送元番号の情報要素（最終転送元の転送元番号及び転送理由）に基づき、予め登録した電話番号情報に従い、その着信の振り分けを可能にして、着信ルートアクセスの利便性を向上させた、ボタン電話装置を提供することにある。
【課題を解決するための手段】
【００１６】
本発明の第１の態様によれば、公衆ＩＳＤＮ回線網に接続された主装置と、該主装置に接続されたボタン電話機とを有するボタン電話装置において、前記主装置は、前記公衆ＩＳＤＮ回線網にてサービス提供されているボイスワープサービスによる転送元番号と転送理由とを含む転送元情報を、受信転送元情報として受信する受信手段と、予め転送元番号と転送理由とを含む転送元情報を、記憶転送元情報として転送先情報と共に記憶する記憶手段と、前記受信転送元情報と前記記憶転送元情報とを比較する比較手段と、該比較手段による比較結果が一致したときに、当該記憶転送元情報と対応する転送先情報の転送先へ転送する転送手段と、を有することを特徴とするボタン電話装置が得られる。
【００１７】
本発明の第１の態様によるボタン電話装置において、前記転送理由は話中、無応答、および無条件の中から選択された１つであってよい。前記比較手段はワイルドコードを使用して比較することが好ましい。前記記憶手段は、前記記憶転送元情報と前記転送先情報とを時間帯毎に複数記憶していることが望ましい。
【００１８】
本発明の第２の態様によれば、公衆ＩＳＤＮ回線網に接続された主装置と、該主装置に接続されたボタン電話機とを有するボタン電話装置における転送方法であって、前記公衆ＩＳＤＮ回線網にてサービス提供されているボイスワープサービスによる転送元番号と転送理由とを含む転送元情報を、受信転送元情報として受信するステップと、予め転送元番号と転送理由とを含む転送元情報を、記憶転送元情報として転送先情報と共に記憶するステップと、前記受信転送元情報と前記記憶転送元情報とを比較するステップと、該比較手段による比較結果が一致したときに、当該記憶転送元情報と対応する転送先情報の転送先へ転送するステップと、を有することを特徴とするボタン電話装置の転送方法が得られる。
【００１９】
本発明の第２の態様によるボタン電話装置の転送方法において、前記転送理由は話中、無応答、および無条件の中から選択された１つであってよい。前記比較ステップはワイルドコードを使用して比較することが好ましい。前記記憶ステップは、前記記憶転送元情報と前記転送先情報とを時間帯毎に複数記憶していることが望ましい。
【発明の効果】
【００２０】
本発明では、ボイスワープサービスを利用した着信時に公衆ＩＳＤＮ回線網から通知される転送元情報（転送元番号、転送理由）毎に特定の着信（転送）先に自動的に振り分けることが可能となり、着信ルートアクセスの利便性を向上させることができる。
【発明を実施するための最良の形態】
【００２１】
以下、本発明の実施の形態について図面を参照して詳細に説明する。
【００２２】
図１を参照して、本発明の一実施の形態に係るボタン電話装置１００について説明する。図示のボタン電話装置１００は、主装置１０と、ボタン電話機２０とによって構成されている。図示の例では、ボタン電話装置１００は１台のボタン電話機２０のみ図示しているが、複数のボタン電話機を備えても良いのは勿論である。
【００２３】
主装置１０は、ＣＰＵユニット１２と、外線インターフェイスユニット１４と、内線インターフェイスユニット１６とから構成される。ＣＰＵユニット１２は、記憶装置１２２と呼制御プログラム部１２４とを有する。
【００２４】
ＣＰＵユニット１２は、外線インターフェイスユニット１４と内線インターフェイスユニット１６とに接続されている。外線インターフェイスユニット１４は外線（局線）を介して公衆電話回線網（公衆ＩＳＤＮ回線網）２００に接続されている。内線インターフェイスユニット１６はボタン電話機２０に接続されている。
【００２５】
図２は、呼制御プログラム部１２４の動作を説明するためのフローチャートである。
【００２６】
以下、図１及び図２を参照して、ボタン電話装置１００の動作について説明する。
【００２７】
外線インターフェイスユニット１４は、公衆ＩＳＤＮ回線網２００から着呼を検知すると、ボイスワープサービスにより公衆ＩＳＤＮ回線網２００より通知される転送元情報である転送元番号と転送理由とを受信する。なお、転送理由としては、話中、無応答、無条件などがある。
【００２８】
呼制御プログラム部１２４は、外線インターフェイスユニット１４がボイスワープサービスによる転送元情報（転送元番号、転送理由）を受信している場合（ステップＳ１のＹ）、その転送元情報をデータＡとして記憶装置１２２に記憶する（ステップＳ２）。とにかく、外線インターフェイスユニット１４は、公衆ＩＳＤＮ回線網２００にてサービス提供されているボイスワープサービスによる転送元番号と転送理由とを含む転送元情報を、受信転送元情報として受信する受信手段として働く。
【００２９】
引き続いて、呼制御プログラム部１２４は、記憶装置１２２に予め登録されている転送元番号及び転送理由データ（データＢ）を記憶装置１２２から読み出し、データＡとデータＢとを比較検索する（ステップＳ３）。
【００３０】
図３に、記憶装置１２２に予め登録されているデータＢの構造を示す。データＢは、転送元番号Ｂ−１、転送理由Ｂ−２、および転送先番号Ｂ−３から成り、それらが時間帯に分けて記憶されている。転送元番号Ｂ−１と転送理由Ｂ−２は、公衆ＩＳＤＮ回線網２００より受信した転送元情報（データＡ）と比較検索が行なわれる情報（転送元情報）を記憶している領域（エリア）である。転送先番号Ｂ−３は、比較で一致した場合の転送先の電話番号（内線／外線の番号等）を記憶している領域（エリア）である。時間帯毎に、使用するデータＢエリアが選択される。なお、転送理由Ｂ−２としては、話中、無応答、無条件などがある。
【００３１】
とにかく、記憶装置１２２は、予め転送元番号と転送理由とを含む転送元情報を、記憶転送元情報として転送先情報（転送先の電話番号）と共に記憶する記憶手段として働く。また、呼制御プログラム部１２４のステップＳ３は、受信転送元情報と記憶転送元情報とを比較する比較手段として働く。
【００３２】
一方、ステップＳ１の判定結果により、外線インターフェイスユニット１４がボイスワープサービスによる転送元情報（転送元番号、転送理由）を受信してない場合（ステップＳ１のＮ）、呼制御プログラム部１２４は、従来技術により外線毎に指定された着信（転送）を行う（ステップＳ４）。
【００３３】
ステップＳ５での判定結果により、外線インターフェイスユニット１４が受信した転送元情報（データＡ）と記憶装置１２２に予め登録されている転送元番号Ｂ−１及び転送理由Ｂ−２のデータ（データＢ）とが一致する場合（ステップＳ５のＹ）、呼制御プログラム部１２４はデータＢで指定された転送先番号Ｂ−３にて着信又は転送を行う（ステップＳ６）。
【００３４】
すなわち、呼制御プログラム部１２４のステップＳ６は、比較手段（ステップＳ３）による比較結果が一致したとき（ステップＳ５のＹ）に、当該記憶転送元情報と対応する転送先情報の転送先へ転送する転送手段として働く。
【００３５】
これに対して、ステップＳ５での判定結果により、データＡとデータＢとが一致しない場合（ステップＳ５のＮ）、呼制御プログラム部１２４は、従来技術により外線毎に指定された着信（転送）を行う（ステップＳ４）。
【００３６】
このような構成のボタン電話装置１００によれば、ボイスワープサービスを利用した着信時に公衆ＩＳＤＮ回線網２００から通知される転送元情報（転送元番号、転送理由）毎に特定の着信（転送）先に自動的に振り分けることが可能となる。その結果、着信ルートアクセスの利便性を向上することができる。
【００３７】
尚、ステップＳ３での比較検索は、ワイルドコード「＊」を使用してもよい。この場合、特定地域からのボイスワープサービスによる着信を、特定の着信（転送）先に振り分けることも可能となる。
【００３８】
また、本実施の形態では、図３に示されるように、記憶装置１２２に予め登録する転送元番号及び転送理由データ（データＢ）を、時間帯毎に複数用意している。この場合、各々の時間帯に応じて着信先や転送先をフレキシブルに変更することが可能となる。
【００３９】
図４を参照して、具体例を挙げてボタン電話装置１００の動作について説明する。ボタン電話装置１００のＣＰＵユニット１２の記憶装置１２２には、データＢとして、８：３０〜１７：３０の時間帯に２つのデータが格納されているとする。図示の例では、第１のデータＢは、転送元番号Ｂ−１が０３−１２３４−０００１であり、転送理由Ｂ−２が無条件、転送先番号Ｂ−３が０３−１２３４−０００３であるデータである。第２のデータＢは、転送元番号Ｂ−１が０３−１２３４−０００２であり、転送理由Ｂ−２が無応答、転送先番号Ｂ−３が０３−１２３４−０００４であるデータである。
【００４０】
また、図示のボタン電話装置１００の電話番号は０３−１２３４−００００であり、公衆ＩＳＤＮ回線網２００を介して２つの発信者の電話機３０、４０が接続されているとする。同様に、電話番号が０３−１２３４−０００１である加入者（拠点Ａ）と、電話番号が０３−１２３４−０００２である別の加入者（拠点Ｂ）が公衆ＩＳＤＮ回線網２００を介して接続されているとする。このとき、拠点Ａは、拠点Ａへの着信（０３−１２３４−０００１）に対してボイスワープの設定として、転送先が０３−１２３４−００００で無条件着信転送を設定している。また、拠点Ｂは、拠点Ｂへの着信（０３−１２３４−０００２）に対してボイスワープの設定として、転送先が０３−１２３４−００００で無応答時着信転送を設定している。
【００４１】
このような状況において、一方の発信者である電話機３０が、拠点Ａの電話番号である０３−１２３４−０００１へダイヤルしたとする。このダイヤル番号を受けた公衆ＩＳＤＮ回線網２００では、ボイスワープサービスにより０３−１２３４−０００１の転送元番号と無条件着信転送の転送理由とからなる転送元情報（データＡ）をボタン電話装置１００へ送信する。この転送元情報（データＡ）を受信したボタン電話装置１００では、このデータＡと、記憶装置１２２に予め登録されているデータＢとを比較検索し、一致した転送先番号である、０３−１２３４−０００３の拠点Ｃへ転送する。
【００４２】
また、他方の発信者である電話機４０が、拠点Ｂの電話番号である０３−１２３４−０００２へダイヤルしたとする。このダイヤル番号を受けた公衆ＩＳＤＮ回線網２００では、拠点Ｂへの着信を行うが一定時間応答しない場合に、ボイスワープサービスにより０３−１２３４−０００２の転送元番号と無応答時着信転送の転送理由とからなる転送元情報（データＡ）をボタン電話装置１００へ送信する。この転送元情報（データＡ）を受信したボタン電話装置１００では、このデータＡと、記憶装置１２２に予め登録されているデータＢとを比較検索し、一致した転送先番号である、０３−１２３４−０００４の拠点Ｄへ転送する。
【００４３】
以上、本発明について好ましい実施の形態について説明してきたが、本発明は上述した実施の形態に限定されず、本発明の趣旨（主題）を逸脱しない範囲内で種々の変形・変更が可能なのは勿論である。
【産業上の利用可能性】
【００４４】
本発明によるボタン電話装置は、ボイスワープサービス利用時に公衆ＩＳＤＮ回線網からの着呼時に通知される転送元情報である転送元番号や転送理由を受信することが可能なボタン電話装置において、特に着信の受付（コールセンタ、秘書代行サービス等）を集約するボタン電話装置に利用可能である。
【図面の簡単な説明】
【００４５】
【図１】本発明の一実施の形態によるボタン電話装置を示すブロック図である。
【図２】図１に示したボタン電話装置の呼制御プログラム部の動作を説明するためのフローチャートである。
【図３】図１のボタン電話装置に使用される記憶装置に予め登録されるデータＢの内容（構造）を示す図である。
【図４】図１に示したボタン電話装置における具体的な動作例を説明するための図である。
【符号の説明】
【００４６】
１０    主装置
１２    ＣＰＵユニット
１２２    記憶装置
１２４    呼制御プログラム部
１４    外線インターフェイスユニット
１６    内線インターフェイスユニット
２０    ボタン電話機
１００    ボタン電話装置
２００    公衆電話回線網（公衆ＩＳＤＮ回線網）
【図１】
2008227964.tif 000003
【図２】
2008227964.tif 000004
【図３】
2008227964.tif 000005
【図４】
2008227964.tif 000006